(57)【要約】【課題】  拭き取り作業の行いやすい拭き取り具を提供する。【解決手段】  拭き取り機能を有するシート状物２０がクッション材１０と共に、ケース部材３０内に収容されている。ケース部材３０は把持部として機能するため、使用者は、このケース部材３０を把持し、シート状物２０を拭き取り対象のディスプレイや鏡に当接して前後左右に動かせばよい。従来のようにシート状物を直接手指で押しつけるようなことを行う必要がないため、抵抗も小さく、小さな力で前後左右に動かすことができ、拭き取り作業の作業性の向上に資する。従って、携帯電話や携帯型ゲーム機などの表示画面と比較して大きい１５インチ以上のディスプレイやそれに相当する大きさの鏡等の拭き取り作業を行うのに適している。【選択図】  図１
2011224271.tif 000002
【特許請求の範囲】
【請求項１】
クッション材と、
前記クッション材に積層され、拭き取り対象物である物品の汚れを拭き取る機能を有するシート状物と、
前記クッション材及びシート状物の少なくとも一部を収容してを支持すると共に、使用時には把持部として機能するケース部材と、
使用していない時に適宜箇所に接合して保管するため、前記ケース部材に設けられる接合層と
を有することを特徴とする拭き取り具。
【請求項２】
前記シート状物は前記クッション材に対して着脱可能に積層されている請求項１記載の拭き取り具。
【請求項３】
前記シート状物が、前記クッション材の表面を相対的に移動可能に設けられると共に、前記ケース部材に前記シート状物を前記クッション材に対して相対移動させる操作部が設けられ、前記操作部を操作することにより、拭き取り対象物である物品に接するシート状物における拭き取り面を変更可能である請求項１又は２記載の拭き取り具。
【請求項４】
前記クッション材が、ローラ形状で形成され、前記ケース部材に回転可能に支持されており、前記シート状物は前記ローラ形状に形成されたクッション材に掛け回されて配設され、前記操作部により、前記ローラ形状に形成されたクッション材を回転させて前記シート状物における拭き取り面を変更する構成である請求項３記載の拭き取り具。
【請求項５】
前記クッション材と前記シート状物との組み合わせからなる積層体が、前記ケース部材に複数連接されて収容されており、最も外方に位置するものから順に分離することにより、拭き取り対象の物品に接触させる積層体を変更可能である請求項１又は２記載の拭き取り具。
【請求項６】
前記クッション材に対して、前記シート状物が複数枚積層されており、各シート状物を順に分離することにより、拭き取り対象の物品に接触させるシート状物を変更可能である請求項１又は２記載の拭き取り具。
【請求項７】
前記クッション材は、少なくとも前記シート状物が積層される面の外形に、少なくとも一カ所の鋭角部を有し、
前記シート状物が、前記鋭角部の角部を被覆して設けられている請求項１〜６のいずれか１に記載の拭き取り具。
【請求項８】
画面サイズ１５インチ以上のディスプレイ用である請求項１〜７のいずれか１に記載の拭き取り具。
【発明の詳細な説明】
【技術分野】
【０００１】
本発明は、テレビなどの家電製品、パソコンなどのＯＡ機器等におけるディスプレイ、鏡等に付着した汚れを拭き取る拭き取り具に関する。
【背景技術】
【０００２】
特許文献１〜３には、薄い樹脂フィルムの一面に拭き取り性を有する極細繊維布を積層し、他面に吸着層を積層したシート状の拭き取り具が開示されている。吸着層を有するため、携帯電話や携帯型ゲーム機などの任意部位に貼着しておき、ディスプレイにほこり、手指の脂などが付着した際に、貼着していた部位から剥がし、極細繊維布の面をディスプレイに指先で押しつけるようにしてそれらの汚れを拭き取る。
【先行技術文献】
【特許文献】
【０００３】
【特許文献１】特開２００７−１５１９５０号公報
【特許文献２】特許第３６６３２０３号公報
【特許文献３】実用新案登録第３１０８２７０号公報
【発明の概要】
【発明が解決しようとする課題】
【０００４】
特許文献１〜３のものは、全体として薄いシート状であるため、上記のように、指先でディスプレイに押しつけるようにして使用しなければならない。しかし、指先で押しつけながら拭き取る作業を行う場合、拭き取り対象面積が大きいと作業しにくく時間がかかる。このため、特許文献１〜３で例示されている拭き取り対象物は、携帯電話や携帯型ゲーム機などのディスプレイのように、画面サイズが大きくても３インチ程度のものが例示されているに過ぎない。
【０００５】
近年、液晶テレビ等の普及により、３０インチを超える大画面ディスプレイが普及してきているが、このような大画面ディスプレイはもとより、そこまでいかなくても、１５インチ前後のパソコンのディスプレイを拭き取るのでさえ、上記のようなシート状のものでは扱いにくく、時間がかかるという課題があった。
【０００６】
本発明は上記に鑑みなされたものであり、拭き取り作業が行いやすく、比較的画面サイズの大きなディスプレイや鏡面等の汚れの拭き取りに適した拭き取り具を提供することを課題とする。
【課題を解決するための手段】
【０００７】
上記課題を解決するため、本発明の拭き取り具は、クッション材と、前記クッション材に積層され、拭き取り対象物である物品の汚れを拭き取る機能を有するシート状物と、前記クッション材及びシート状物の少なくとも一部を収容してを支持すると共に、使用時には把持部として機能するケース部材と、使用していない時に適宜箇所に接合して保管するため、前記ケース部材に設けられる接合層とを有することを特徴とする。
【０００８】
前記シート状物は前記クッション材に対して着脱可能に積層されていることが好ましい。また、前記シート状物が、前記クッション材の表面を相対的に移動可能に設けられると共に、前記ケース部材に前記シート状物を前記クッション材に対して相対移動させる操作部が設けられ、前記操作部を操作することにより、拭き取り対象物である物品に接するシート状物における拭き取り面を変更可能である構成とすることができる。
【０００９】
前記クッション材が、ローラ形状で形成され、前記ケース部材に回転可能に支持されており、前記シート状物は前記ローラ形状に形成されたクッション材に掛け回されて配設され、前記操作部により、前記ローラ形状に形成されたクッション材を回転させて前記シート状物における拭き取り面を変更する構成とすることもできる。
【００１０】
前記クッション材と前記シート状物との組み合わせからなる積層体が、前記ケース部材に複数連接されて収容されており、最も外方に位置するものから順に分離することにより、拭き取り対象の物品に接触させる積層体を変更する構成とすることもできる。
【００１１】
前記クッション材に対して、前記シート状物が複数枚積層されており、各シート状物を順に分離することにより、拭き取り対象の物品に接触させるシート状物を変更可能な構成とすることもできる。
【００１２】
前記クッション材は、少なくとも前記シート状物が積層される面の外形に、少なくとも一カ所の鋭角部を有し、前記シート状物が、前記鋭角部の角部を被覆して設けられていることが好ましい。また、本発明の拭き取り具は、特に、画面サイズ１５インチ以上のディスプレイ用に適している。
【発明の効果】
【００１３】
本発明によれば、拭き取り機能を有するシート状物がクッション材と共に、それらの少なくとも一部がケース部材内に収容されている。このケース部材は把持部として機能するため、使用者は、このケース部材を把持し、シート状物を拭き取り対象のディスプレイや鏡に当接して前後左右に動かせばよい。従来のようにシート状物を直接手指で押しつけるようなことを行う必要がないため、抵抗も小さく、小さな力で前後左右に動かすことができ、拭き取り作業の作業性の向上に資する。従って、携帯電話や携帯型ゲーム機などの表示画面と比較して大きい１５インチ以上のディスプレイやそれに相当する大きさの鏡等の拭き取り作業を行うのに適している。
【００１４】
また、シート状物はクッション材に積層されている。このため、シート状物をディスプレイなどに押しつけた際の押しつけ力を緩和でき、液晶ディスプレイ等に適している。しかも、本発明の拭き取り具は、ケース部材に、吸着シート等の接合層が一体に設けられている。従って、使用していない時には、拭き取り対象の物品であるディスプレイ等の近くに、例えば、ディスプレイの側面や裏面、あるいは、ディスプレイの置台の側面等に付着させておくことができるため、必要なときに素早く手にとることができる。
【図面の簡単な説明】
【００１５】
【図１】図１は、本発明の一の実施形態に係る拭き取り具を示す斜視図である。
【図２】図２は、図１の分解斜視図である。
【図３】図３は、クッション材の他の態様を説明するための図である。
【図４】図４は、拭き取り具の他の態様を説明するための図である。
【図５】図５は、拭き取り具のさらに他の態様を説明するための図である。
【図６】図６は、クッションローラを使用した拭き取り具の態様を説明するための図である。
【図７】図７は、拭き取り具のさらに他の態様を説明するための図である。
【発明を実施するための形態】
【００１６】
以下、図面に示した実施形態に基づき、本発明をさらに詳細に説明する。図１及び図２は本発明の一の実施形態に係る拭き取り具１を示す。この拭き取り具１は、クッション材１０、シート状物２０、ケース部材３０及び接着層４０を備えて構成される。
【００１７】
クッション材１０は、ディスプレイ等の物品に押しつけた際の押しつけ力を緩和する弾性を有するものでればよく、その素材等は限定されるものではないが、例えば、発泡ポリウレタン、織編物や不織布等からなる布材を複数積層したもの等を用いることができる。厚みも限定されるものではないが、通常、５〜５０ｍｍ程度のものが選択される。
【００１８】
シート状物２０は、ディスプレイや鏡の表面に付着したほこり、手指の脂等の汚れを拭き取ることができる、例えば、１．１デシテックス以下の極細繊維により構成された織編物、不織布等からなるワイピングクロスを用いることができる。厚さは特に限定されるものではないが、例えば、５０〜１０００μｍのものを用いることができる。
【００１９】
シート状物２０は、上記したクッション材１０に積層されて用いられる。積層方法は、単にクッション材１０の周囲を包むようにして行ってもよいし、クッション材１０においてディスプレイ等の拭き取り対象部分と対向する面（対向面１１）のみに接着等により積層するようにしてもよい。本実施形態では、クッション材１０において対向面１１と反対側の面（反対面１２）側から切り込み１２ａを形成しておき、シート状物２０を対向面１１側に当てた後、両端縁を反対面１２側に回して切り込み１２ａ内に挟み込むこんで積層している。このようにすると、シート状物２０がクッション材１０に対して着脱可能となるため、シート状物２０が汚れた場合などに、新たなシート状物２０に交換して使用することが可能になる。
【００２０】
ケース部材３０は、図１及び図２に示したように、平面視で略長方形で、底壁部３１の周囲に所定高さの周壁３２を備えた断面略凹状に形成されている。周壁３２に取り囲まれた凹部３３内に、上記したクッション材１０にシート状物２０を積層したものを配置する。本実施形態では、クッション材１０の反対面１２側を凹部３３内に収納している。反対面１２側に形成した切り込み１２ａ内にシート状物２０の端縁２０ａが挟み込まれているため、凹部３３内に配置することで反対面１２側に回り込んでいる部分がケース部材３０の底壁部３１との間に挟まれ、クッション材１０に対してシート状物２０が固定されることになる。なお、凹部３３は、このようにしてクッション材１０及びシート状物２０の一部を収納するが、収納状態で該クッション材１０及びシート状物２０が脱落したりすることがないように、凹部３３の方がクッション材１０よりも、幅若しくは長さ、あるいはその両方において小さいサイズで形成される。
【００２１】
ケース部材３０の凹部３３内にシート状物２０が積層されたクッション材１０が配置されるため、所定高さの周壁３２は、平面視で、クッション材１０及びシート状物２０の外方に突出することになる。従って、使用者は、このケース部材３０を手で持つことが可能であり、ケース部材３０は使用時における把持部として機能する。ケース部材３０の形状や周壁３２の高さ等は、手で持ちやすくするために種々の形状、高さのものを選択することができる。例えば、ケース部材３０の形状は平面視で略楕円形にしたり、後述の図３に示したもののように一部を鋭角な形状としたり、あるいは、周壁３２を、クッション材１０の対向面１１付近まで立ち上げ、シート状物２０における拭き取り対象との拭き取り面２１のみがケース部材３０から露出するようにしてもよい。
【００２２】
ケース部材３０における底壁部３１の裏面３１ａには、接合層４０が設けられている。接合層４０は、拭き取り対象であるディスプレイ等の近くの部位、例えば、ディスプレイの側面や裏面、あるいは、ディスプレイの置台の側面等に付着でき、使用の際に付着している部位から剥離して使用し、使用後、再び、所定部位に付着できるようなものであればよい。接合層４０はかかる機能を有するものでれば、公知の粘着シートや吸着シート等を用いることができる。例えば、表面に微細気泡を有するアクリル製のポリマーシート、具体的には、表面に微細気泡を有する発泡倍率が１．５倍の低発泡フォームからなり、厚さ０．５ｍｍ程度で、対ガラスで０．１５ｋｇ程度のピーリング剥離強さを示し、５００μｍから８００μｍの厚みを有するポリマーシートを用いることが高い接着性が得られることから好ましい。
【００２３】
本実施形態によれば、使用していない時は、接合層４０を任意の部位、例えば、液晶テレビの側面に接合し、拭き取り具１を保持しておく。接合層４０は、上記のように、任意の部位に付着させたり剥離させたりすることができる粘着性、吸着性を有するため、使用者が手にとりやすい所望の位置（例えば、液晶テレビの側面）に接合し、保持させておくことができる。
【００２４】
使用する際には、把持部として機能するケース本体３０を手でつかみ、接合層４０を液晶テレビの側面から剥離し、ケース本体３０を把持した状態で、シート状物２０の拭き取り面２１を液晶テレビのディスプレイに接触させ、上下方向あるいは左右方向に動かしてほこりや手指の脂等を拭き取る。この際、本実施形態によれば、ケース本体３０を持って動かすことができるため、大きな力を必要とせずに容易に作業をすることができる。従って、１５インチ以上のディスプレイやそれに相当する大きさの鏡等、比較的面積の大きい拭き取り対象物の拭き取り作業を行うのに適している。また、拭き取る際には、押しつけ方向に若干の力を加えるが、シート状物２０はクッション材１０に積層されているため、クッション材１０の弾性により力が緩和され、それにより、ディスプレイへのダメージが防止される。
【００２５】
なお、液晶テレビのディスプレイ（画面）は、外周の枠体の中に設けられており、ディスプレイと枠体との境界には通常段差がある。従って、シート状物２０でディスプレイを拭いた場合、この枠体との間の段差付近にほこり等がたまってしまう場合がある。そこで、段差付近にたまりがちなほこり等も拭き取ることができるように、図３に示したように、クッション材１０の少なくとも対向面１１側の外形の一部に鋭角部１１ａを形成しておくことが好ましい。シート状物２０のうち、この鋭角部１１ａを被覆する部分も鋭角になるため、段差の間際まで届き、段差付近にたまりがちなほこり等を容易に拭き取ることができる。
【００２６】
一方、使用していると、シート状物２０の拭き取り面２１にほこり等の汚れが堆積して汚れるなどして拭き取り性能が劣化してくる。そこで、シート状物２０として予め長尺なものを準備してクッション材１０に巻き付け、余剰部分を切り込み１２ａ内に挟み込んでおく。そして、拭き取り面２１として使用していた部分に汚れが堆積したならば、シート状物２０をクッション材１０から取り外してずらし、汚れていない面をクッション材１０の対向面１１上に位置させ、その面を新たな拭き取り面とする。これにより、一枚のシート状物２０を無駄なく使用できる。
【００２７】
また、シート状物２０だけをずらすのではなく、クッション材１０毎、ケース部材３０の凹部３３内に収納される面を変更することにより、シート状物２０のうちの未使用の面をディスプレイを拭き取る新たな拭き取り面として使用することも可能である。
【００２８】
また、図４に示したように、クッション材１０とシート状物２０とを積層した積層体１００，１００ａを複数連接しておき、最も外方に位置する最初の組に係る積層体１００のシート状物２０が汚れたならば、最初の組の積層体１００を次の組の積層体１００ａから分離して、次の組の積層体１００ａのシート状物２０を露出させるというようにしてもよい。これにより、未使用のシート状物２０を次々に簡易に露出させることができる。なお、積層体１００，１００ａ同士は、例えば、周縁の一部のみを連結するなどして、簡易に分離できるようにしておくことが好ましい。
【００２９】
また、図５に示したように、クッション材１０は一つとし、その対向面１１に複数枚のシート状物２０を相互に剥離可能に積層した構成とすることもできる。この場合には、最も外方に位置するシート状物２０が汚れたならば、そのシート状物２０を分離し、次のシート状物２０を露出させるようにして使用する。
【００３０】
図６は、ケース部材３０に、ローラ形状で形成したクッション材（クッションローラ５０）を設けたものであり、ケース部材３０は端壁面が開口しており、その開口部分からクッションローラ５０の一部（前面）が露出している。また、ケース本体３０内には、クッションローラ５０に対して所定間隔をおいて支持ローラ６０が配置され、ケース本体３０の側面に支持ローラ６０を回転させることができる操作部６１を設けておく。そして、クッションローラ５０と支持ローラ３０との間に、シート状物２０をループ状に掛け渡す。
【００３１】
通常の使用時においては、操作部６１をロックして支持ローラ６０が回転しないようにしておき、その状態で、シート状物２０のうち、ケース部材３０から露出しているクッションローラ５０の前面に位置する部分（拭き取り面２１）をディスプレイに押し当てて拭き取りを行う。一方、使用していた拭き取り面２１が汚れたならば、操作部６１のロックを解除して操作部６１を操作して支持ローラ６０及びクッションローラ５０を回転させ、シート状物２０のうちの未使用面をクッションローラ５０の前面に位置させ、新たな拭き取り面として使用する。このようなクッションローラ５０を使用すると、シート状物２０の未使用面を新たな拭き取り面とすることが極めて容易に行える。
【００３２】
図７は、さらに他の態様に係る拭き取り具を示したものであり、この態様においては、略直方体形状のケース部材３０内に、支持ローラ７０，８０を所定間隔をおいて配置し、２本の支持ローラ間にシート状物２０をループ状に掛け渡したものである。ケース部材３０の表面（図７の上面）は開口面になっており、この開口面からループ状に掛け渡されたシート状物２０の一部が露出し、その部分が拭き取り面２１となっている。また、拭き取り面２１の裏面側には、クッション材１０が配置されている。
【００３３】
図７の態様においてはも、図６の態様と同様に、通常の使用時においては、操作部８１をロックして支持ローラ８０が回転しないようにしておき、その状態で、シート状物２０のうち、外部に露出している拭き取り面２１をディスプレイに押し当てて拭き取りを行う。一方、使用していた拭き取り面２１が汚れたならば、操作部８１のロックを解除して操作部８１を操作して支持ローラ７０，８０を回転させ、シート状物２０のうちの未使用面をクッション材１０前面に位置させ、新たな拭き取り面として使用する。この態様によれば、図６の場合よりも広い面積の拭き取り面を確保できる。
【００３４】
なお、図示しないが、図３から図７に示した態様においても、使用していないときの保持のため、ケース部材３０の外面に吸着シート等の接合層を設けておくことは図１及び図２の態様と同様である。
【００３５】
また、上記したクッション材１０、ケース部材３０等の形状はあくまで例示であり、図示したものに限定されるものではない。また、シート状物２０の拭き取り面２１を変更する手段も上記した態様に限定されるものではない。
【００３６】
さらに、上記した説明では、主として液晶テレビのディスプレイに使用した場合を例に挙げているが、これに限定されるものではなく、パソコン用のディスプレイはもちろんのこと、鏡等の拭き取り作業に使用することも可能である。
【符号の説明】
【００３７】
１  拭き取り具
１０  クッション材
２０  シート状物
２１  拭き取り面
３０  ケース部材
４０  接合層
５０  クッションローラ
６０，７０，８０  支持ローラ
【図１】
2011224271.tif 000003
【図２】
2011224271.tif 000004
【図３】
2011224271.tif 000005
【図４】
2011224271.tif 000006
【図５】
2011224271.tif 000007
【図６】
2011224271.tif 000008
【図７】
2011224271.tif 000009